(57)【要約】【課題】本発明は汚水フィルタを開示した。【解決手段】フィルタを含み、前記フィルタの中にはメインろ過チャンバが設置され、前記メインろ過チャンバの中にはメインろ過装置が設置され、前記メインろ過チャンバの頂端には第一連通溝が連通され、前記第一連通溝の底端には第一スライド溝が連通され、本発明が作動中に、当該フィルタがろ過網の上側にある不純物を処理するとき、機械伝動により汚水を他の側のろ過チャンバに分流し、ろ過に影響を与えないと同時に不純物を処理し、ろ過処理の速度を高め、作業効率を高め、こそげ板によりろ過網にある不純物を処理することができ、その他の装置の作動で不純物を処理する必要がなく、不純物を処理の過程を大幅に簡単化し、効率を高める。【選択図】図１
2020175360.tif 000002
【特許請求の範囲】
【請求項１】
フィルタを含み、前記フィルタの中にはメインろ過チャンバが設置され、前記メインろ過チャンバの中にはメインろ過装置が設置され、前記メインろ過チャンバの頂端には第一連通溝が連通され、前記第一連通溝の底端には第一スライド溝が連通され、前記メインろ過チャンバの両側にはサブろ過チャンバが設置され、前記サブろ過チャンバの中にはサブろ過装置が設置され、前記サブろ過チャンバと前記第一連通溝との間には第二連通溝が連通設置され、前記サブろ過チャンバの頂端には第二スライド溝が連通され、前記メインろ過チャンバと前記サブろ過チャンバとの間にはろ過網機構が設置され、前記ろ過網機構がろ過網を持つスライドバーを含み、前記メインろ過チャンバと前記サブろ過チャンバとの間には第一空きチャンバが設置され、前記第一空きチャンバの後端には第二空きチャンバが設置され、前記メインろ過チャンバの後端には第三空きチャンバが設置され、前記第三空きチャンバと前記第二空きチャンバとの間には第四空きチャンバが連通され、前記第三空きチャンバの頂端には第五空きチャンバが設置され、前記メインろ過チャンバの後端にはろ過切換装置が設置され、前記サブろ過チャンバと前記メインろ過チャンバの底端には汚水排出溝が連通され、前記メインろ過チャンバの底端にある前記汚水排出溝には排出口切換装置が設置されることを特徴とする汚水フィルタ。
【請求項２】
前記メインろ過装置は前記メインろ過チャンバを含み、前記第一スライド溝の中には第一スルーホールを持つ第一ラックがスライドできるように設置され、前記サブろ過チャンバと前記メインろ過チャンバとの端壁にはいずれも汚れこそげ板が設置され、前記第一空きチャンバと前記第二空きチャンバとの間にはモーターと動力が伝達できるように連結される第一回転軸が回転できるように設置され、前記スライドバーには第二ラックが固定的に設置され、前記第一回転軸の前端には前記第二ラックと噛合する第一歯車が対称的に設置され、前記第二空きチャンバの中にある前記第一回転軸には第二歯車が設置され、前記メインろ過チャンバの左端にある前記第四空きチャンバの前端には第六空きチャンバが設置され、前記第六空きチャンバの中には第二回転軸が設置され、前記第二回転軸には前記第二歯車と噛合するワイドギアと第一プーリとが設置され、前記第一プーリと前記メインろ過チャンバの右端にある前記第二歯車とが伝動し連結されることを特徴とする請求項１に記載の汚水フィルタ。
【請求項３】
前記サブろ過装置が前記サブろ過チャンバを含み、前記サブろ過チャンバの端壁には第三スライド溝が連通設置され、前記第三スライド溝の中には押しブロックがスライドできるように設置され、前記押しブロックと前記第三スライド溝の端壁との間には第一ばねが固定的に連結され、前記第二スライド溝の中には第二スルーホールを持つ第一永久磁石がスライドできるように設置され、前記第一永久磁石と第二スライド溝の端壁との間には第二ばねが固定的に連結され、前記第二スライド溝には第四スライド溝が上下に貫通し設置され、前記第四スライド溝の中には第一スライドブロックがスライドできるように設置され、前記第一スライドブロックと前記第四スライド溝の端壁との間には第三ばねが固定的に連結され、前記第一スライドブロックの中には磁伝導金属が設置され、前記磁伝導金属の左端には前記第一永久磁石と吸いつける第二永久磁石が固定的に設置され、前記第一スライドブロックと前記押しブロックとの間には第一鋼線が連結されることを特徴とする請求項１に記載の汚水フィルタ。
【請求項４】
前記ろ過切換装置は前記第一回転軸を含み、前記第一回転軸には第三歯車が固定的に設置され、前記第四空きチャンバの中には第三回転軸が回転できるように設置され、前記第三回転軸には前記第三歯車と噛合する第四歯車が固定的に設置され、前記第三空きチャンバと前記第四空きチャンバとの間には第二スライドブロックがスライドできるように設置され、前記第二スライドブロックの左端には前記第四歯車と噛合する第三ラックが固定的に設置され、前記第三空きチャンバの中には第三スライドブロックがスライドできるように設置され、前記第三スライドブロックと前記第三空きチャンバの底壁にはいずれも凹溝が設置され、前記凹溝と前記第二スライドブロックとの間にはヒンジ連結ロッドが対称的にヒンジで連結され、前記第三空きチャンバと前記メインろ過チャンバとの間には前記第三空きチャンバを連通する第五スライド溝と第六スライド溝とが設置され、前記第五スライド溝が前記第六スライド溝と連通され、前記第五スライド溝と前記第六スライド溝との間には第四ばねと連結される第四スライドブロックがスライドできるように設置され、前記第六スライド溝の中にある第四スライドブロックには第一斜めブロックが固定的に設置され、前記第五スライド溝の中にある第四スライドブロックには第三永久磁石がスライドできるように設置され、前記第五スライド溝の端壁には第三永久磁石と係合される電磁石が固定的に設置され、前記第五空きチャンバの中には第四回転軸が回転できるように設置され、前記第四回転軸には第一ラックと噛合する第五歯車が固定的に設置され、前記第四回転軸の頂壁には第七スライド溝が連通し設置され、前記第七スライド溝の中には第四ラックがスライドできるように設置され、前記第四ラックと前記第七スライド溝の端壁との間には第五ばねが固定的に連結され、前記第四ラックが前記第五歯車と噛合し、前記第四ラックと前記第三スライドブロックとの間には第二鋼線が連結されることを特徴とする請求項１に記載の汚水フィルタ。
【請求項５】
前記排出口切換装置が前記メインろ過チャンバを含み、前記メインろ過チャンバと前記汚水排出溝との間には第七空きチャンバが設置され、前記第七空きチャンバの後端には第八空きチャンバが連通し設置され、前記第八空きチャンバと前記第七空きチャンバとの間には第五回転軸が回転できるように設置され、前記第七空きチャンバの中にある前記第五回転軸には仕切り板が固定的に設置され、前記第七空きチャンバの両端には第八スライド溝が対称的に連通し設置され、前記第八スライド溝の中には第二斜めブロックがスライドできるように設置され、前記第二斜めブロックと前記第八スライド溝の端壁との間には第六ばねが固定的に連結され、前記第二斜めブロックが前記仕切り板と接触し、前記第八空きチャンバの中にある前記第五回転軸と前記第四回転軸との間が第二プーリと第三プーリにより伝動できるように係合されることを特徴とする請求項１に記載の汚水フィルタ。
【発明の詳細な説明】
【技術分野】
【０００１】
本発明はろ過分野を取り上げて、具体的には汚水フィルタである。
【背景技術】
【０００２】
現在、フィルタは水の浄化に大きな影響を与え、日常生活で使用されるフィルタは増えているが、この段階では、フィルタはろ過されて残った不純物を処理するとき、該当フィルタが作動を停止することを表し、ろ過効率に大きな影響があり、また、不純物を処理する間には、フィルタを解体してから不純物を処理しなければいけなく、操作が複雑で、作業量を増加し、不純物の処理に良くない。
【先行技術文献】
【特許文献】
【０００３】
【特許文献１】中国特許出願公開第１０８６４０４０４号明細書
【発明の概要】
【発明が解決しようとする課題】
【０００４】
本発明の目的は汚水フィルタを提供し、それは上記の現在の技術中の問題を解決できる。
【課題を解決するための手段】
【０００５】
上記の課題を解決するため、本発明は以下の技術プランを採用する：汚水フィルタは、フィルタを含み、前記フィルタの中にはメインろ過チャンバが設置され、前記メインろ過チャンバの中にはメインろ過装置が設置され、前記メインろ過チャンバの頂端には第一連通溝が連通され、前記第一連通溝の底端には第一スライド溝が連通され、前記メインろ過チャンバの両側にはサブろ過チャンバが設置され、前記サブろ過チャンバの中にはサブろ過装置が設置され、前記サブろ過チャンバと前記第一連通溝との間には第二連通溝が連通設置され、前記サブろ過チャンバの頂端には第二スライド溝が連通され、前記メインろ過チャンバと前記サブろ過チャンバとの間にはろ過網機構が設置され、前記ろ過網機構がろ過網を持つスライドバーを含み、前記メインろ過チャンバと前記サブろ過チャンバとの間には第一空きチャンバが設置され、前記第一空きチャンバの後端には第二空きチャンバが設置され、前記メインろ過チャンバの後端には第三空きチャンバが設置され、前記第三空きチャンバと前記第二空きチャンバとの間には第四空きチャンバが連通され、前記第三空きチャンバの頂端には第五空きチャンバが設置され、前記メインろ過チャンバの後端にはろ過切換装置が設置され、前記サブろ過チャンバと前記メインろ過チャンバの底端には汚水排出溝が連通され、前記メインろ過チャンバの底端にある前記汚水排出溝には排出口切換装置が設置される。
【０００６】
優選的に、前記メインろ過装置は前記メインろ過チャンバを含み、前記第一スライド溝の中には第一スルーホールを持つ第一ラックがスライドできるように設置され、前記サブろ過チャンバと前記メインろ過チャンバとの端壁にはいずれも汚れこそげ板が設置され、前記第一空きチャンバと前記第二空きチャンバとの間にはモーターと動力が伝達できるように連結される第一回転軸が回転できるように設置され、前記スライドバーには第二ラックが固定的に設置され、前記第一回転軸の前端には前記第二ラックと噛合する第一歯車が対称的に設置され、前記第二空きチャンバの中にある前記第一回転軸には第二歯車が設置され、前記メインろ過チャンバの左端にある前記第四空きチャンバの前端には第六空きチャンバが設置され、前記第六空きチャンバの中には第二回転軸が設置され、前記第二回転軸には前記第二歯車と噛合するワイドギアと第一プーリとが設置され、前記第一プーリと前記メインろ過チャンバの右端にある前記第二歯車とが伝動し連結される。
【０００７】
優選的に、前記サブろ過装置が前記サブろ過チャンバを含み、前記サブろ過チャンバの端壁には第三スライド溝が連通設置され、前記第三スライド溝の中には押しブロックがスライドできるように設置され、前記押しブロックと前記第三スライド溝の端壁との間には第一ばねが固定的に連結され、前記第二スライド溝の中には第二スルーホールを持つ第一永久磁石がスライドできるように設置され、前記第一永久磁石と第二スライド溝の端壁との間には第二ばねが固定的に連結され、前記第二スライド溝には第四スライド溝が上下に貫通し設置され、前記第四スライド溝の中には第一スライドブロックがスライドできるように設置され、前記第一スライドブロックと前記第四スライド溝の端壁との間には第三ばねが固定的に連結され、前記第一スライドブロックの中には磁伝導金属が設置され、前記磁伝導金属の左端には前記第一永久磁石と吸いつける第二永久磁石が固定的に設置され、前記第一スライドブロックと前記押しブロックとの間には第一鋼線が連結される。
【０００８】
優選的に、前記ろ過切換装置は前記第一回転軸を含み、前記第一回転軸には第三歯車が固定的に設置され、前記第四空きチャンバの中には第三回転軸が回転できるように設置され、前記第三回転軸には前記第三歯車と噛合する第四歯車が固定的に設置され、前記第三空きチャンバと前記第四空きチャンバとの間には第二スライドブロックがスライドできるように設置され、前記第二スライドブロックの左端には前記第四歯車と噛合する第三ラックが固定的に設置され、前記第三空きチャンバの中には第三スライドブロックがスライドできるように設置され、前記第三スライドブロックと前記第三空きチャンバの底壁にはいずれも凹溝が設置され、前記凹溝と前記第二スライドブロックとの間にはヒンジ連結ロッドが対称的にヒンジで連結され、前記第三空きチャンバと前記メインろ過チャンバとの間には前記第三空きチャンバを連通する第五スライド溝と第六スライド溝とが設置され、前記第五スライド溝が前記第六スライド溝と連通され、前記第五スライド溝と前記第六スライド溝との間には第四ばねと連結される第四スライドブロックがスライドできるように設置され、前記第六スライド溝の中にある第四スライドブロックには第一斜めブロックが固定的に設置され、前記第五スライド溝の中にある第四スライドブロックには第三永久磁石がスライドできるように設置され、前記第五スライド溝の端壁には第三永久磁石と係合される電磁石が固定的に設置され、前記第五空きチャンバの中には第四回転軸が回転できるように設置され、前記第四回転軸には第一ラックと噛合する第五歯車が固定的に設置され、前記第四回転軸の頂壁には第七スライド溝が連通し設置され、前記第七スライド溝の中には第四ラックがスライドできるように設置され、前記第四ラックと前記第七スライド溝の端壁との間には第五ばねが固定的に連結され、前記第四ラックが前記第五歯車と噛合し、前記第四ラックと前記第三スライドブロックとの間には第二鋼線が連結される。
【０００９】
優選的に、前記排出口切換装置が前記メインろ過チャンバを含み、前記メインろ過チャンバと前記汚水排出溝との間には第七空きチャンバが設置され、前記第七空きチャンバの後端には第八空きチャンバが連通し設置され、前記第八空きチャンバと前記第七空きチャンバとの間には第五回転軸が回転できるように設置され、前記第七空きチャンバの中にある前記第五回転軸には仕切り板が固定的に設置され、前記第七空きチャンバの両端には第八スライド溝が対称的に連通し設置され、前記第八スライド溝の中には第二斜めブロックがスライドできるように設置され、前記第二斜めブロックと前記第八スライド溝の端壁との間には第六ばねが固定的に連結され、前記第二斜めブロックが前記仕切り板と接触し、前記第八空きチャンバの中にある前記第五回転軸と前記第四回転軸との間が第二プーリと第三プーリにより伝動できるように係合される。
【発明の効果】
【００１０】
以上により、本発明の有益的な効果：本装置は構造が簡単で、操作が便利で、当該フィルタがろ過網の上側にある不純物を処理するとき、機械伝動により汚水を他の側のろ過チャンバに分流し、ろ過に影響を与えないと同時に不純物を処理し、ろ過処理の速度を高め、作業効率を高め、こそげ板によりろ過網にある不純物を処理することができ、その他の装置の作動で不純物を処理する必要がなく、不純物を処理の過程を大幅に簡単化し、効率を高める。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができ、下記に図１〜５をあわせて本発明について詳しく説明し、便利に説明するために、下記の方向を以下のように規定する：以下に述べる上下左右前後の方向と図１の自身投影関係の上下左右前後の方向とが一致である。
【００１２】
【図１】図１は本発明の汚水フィルタの全体全断面の正面構造図
【図２】図２は本発明の汚水フィルタの全体全断面の左面構造図
【図３】図３は本発明の汚水フィルタの駆動機構の全断面の左面拡大構造図
【図４】図４は本発明の汚水フィルタの切断機構の局部断面の正面拡大構造図
【図５】図５は本発明の汚水フィルタの分離機構の局部断面の正面拡大構造図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１−５が示すように、本発明が提供する実施例：汚水フィルタは、フィルタ１を含み、前記フィルタ１の中にはメインろ過チャンバ２８が設置され、前記メインろ過チャンバ２８の中にはメインろ過装置が設置され、前記メインろ過チャンバ２８の頂端には第一連通溝２９が連通され、前記第一連通溝２９の底端には第一スライド溝２７が連通され、前記メインろ過チャンバ２８の両側にはサブろ過チャンバ１２が設置され、前記サブろ過チャンバ１２の中にはサブろ過装置が設置され、前記サブろ過チャンバ１２と前記第一連通溝２９との間には第二連通溝３４が連通設置され、前記サブろ過チャンバ１２の頂端には第二スライド溝６が連通され、前記メインろ過チャンバ２８と前記サブろ過チャンバ１２との間にはろ過網機構が設置され、前記ろ過網機構がろ過網１９を持つスライドバー１８を含み、前記メインろ過チャンバ２８と前記サブろ過チャンバ１２との間には第一空きチャンバ３１が設置され、前記第一空きチャンバ３１の後端には第二空きチャンバ６５が設置され、前記メインろ過チャンバ２８の後端には第三空きチャンバ４１が設置され、前記第三空きチャンバ４１と前記第二空きチャンバ６５との間には第四空きチャンバ６６が連通され、前記第三空きチャンバ４１の頂端には第五空きチャンバ３７が設置され、前記メインろ過チャンバ２８の後端にはろ過切換装置が設置され、前記サブろ過チャンバ１２と前記メインろ過チャンバ２８の底端には汚水排出溝２０が連通され、前記メインろ過チャンバ２８の底端にある前記汚水排出溝２０には排出口切換装置が設置される。
【００１６】
有益的には、前記メインろ過装置は前記メインろ過チャンバ２８を含み、前記第一スライド溝２７の中には第一スルーホール３０を持つ第一ラック３２がスライドできるように設置され、前記サブろ過チャンバ１２と前記メインろ過チャンバ２８との端壁にはいずれも汚れこそげ板１６が設置され、前記第一空きチャンバ３１と前記第二空きチャンバ６５との間にはモーター６４と動力が伝達できるように連結される第一回転軸３３が回転できるように設置され、前記スライドバー１８には第二ラック９１が固定的に設置され、前記第一回転軸３３の前端には前記第二ラック９１と噛合する第一歯車２５が対称的に設置され、前記第二空きチャンバ６５の中にある前記第一回転軸３３には第二歯車６９が設置され、前記メインろ過チャンバ２８の左端にある前記第四空きチャンバ６６の前端には第六空きチャンバ７８が設置され、前記第六空きチャンバ７８の中には第二回転軸９０が設置され、前記第二回転軸９０には前記第二歯車６９と噛合するワイドギア８０と第一プーリ７７とが設置され、前記第一プーリ７７と前記メインろ過チャンバ２８の右端にある前記第二歯車６９とが伝動し連結される。
【００１７】
有益的には、前記サブろ過装置が前記サブろ過チャンバ１２を含み、前記サブろ過チャンバ１２の端壁には第三スライド溝１４が連通設置され、前記第三スライド溝１４の中には押しブロック１５がスライドできるように設置され、前記押しブロック１５と前記第三スライド溝１４の端壁との間には第一ばね１３が固定的に連結され、前記第二スライド溝６の中には第二スルーホール１０を持つ第一永久磁石９がスライドできるように設置され、前記第一永久磁石９と第二スライド溝６の端壁との間には第二ばね２が固定的に連結され、前記第二スライド溝６には第四スライド溝４が上下に貫通し設置され、前記第四スライド溝４の中には第一スライドブロック５がスライドできるように設置され、前記第一スライドブロック５と前記第四スライド溝４の端壁との間には第三ばね３が固定的に連結され、前記第一スライドブロック５の中には磁伝導金属８が設置され、前記磁伝導金属８の左端には前記第一永久磁石９と吸いつける第二永久磁石７が固定的に設置され、前記第一スライドブロック５と前記押しブロック１５との間には第一鋼線１１が連結される。
【００１８】
有益的には、前記ろ過切換装置は前記第一回転軸３３を含み、前記第一回転軸３３には第三歯車６７が固定的に設置され、前記第四空きチャンバ６６の中には第三回転軸７０が回転できるように設置され、前記第三回転軸７０には前記第三歯車６７と噛合する第四歯車６８が固定的に設置され、前記第三空きチャンバ４１と前記第四空きチャンバ６６との間には第二スライドブロック４７がスライドできるように設置され、前記第二スライドブロック４７の左端には前記第四歯車６８と噛合する第三ラック６３が固定的に設置され、前記第三空きチャンバ４１の中には第三スライドブロック４３がスライドできるように設置され、前記第三スライドブロック４３と前記第三空きチャンバ４１の底壁にはいずれも凹溝５０が設置され、前記凹溝５０と前記第二スライドブロック４７との間にはヒンジ連結ロッド４６が対称的にヒンジで連結され、前記第三空きチャンバ４１と前記メインろ過チャンバ２８との間には前記第三空きチャンバ４１を連通する第五スライド溝８１と第六スライド溝５６とが設置され、前記第五スライド溝８１が前記第六スライド溝５６と連通され、前記第五スライド溝８１と前記第六スライド溝５６との間には第四ばね５７と連結される第四スライドブロック５８がスライドできるように設置され、前記第六スライド溝５６の中にある第四スライドブロック５８には第一斜めブロック５９が固定的に設置され、前記第五スライド溝８１の中にある第四スライドブロック５８には第三永久磁石４２がスライドできるように設置され、前記第五スライド溝８１の端壁には第三永久磁石４２と係合される電磁石６０が固定的に設置され、前記第五空きチャンバ３７の中には第四回転軸３９が回転できるように設置され、前記第四回転軸３９には第一ラック３２と噛合する第五歯車６２が固定的に設置され、前記第四回転軸３９の頂壁には第七スライド溝８２が連通し設置され、前記第七スライド溝８２の中には第四ラック３６がスライドできるように設置され、前記第四ラック３６と前記第七スライド溝８２の端壁との間には第五ばね６１が固定的に連結され、前記第四ラック３６が前記第五歯車６２と噛合し、前記第四ラック３６と前記第三スライドブロック４３との間には第二鋼線４０が連結される。
【００１９】
有益的には、前記排出口切換装置が前記メインろ過チャンバ２８を含み、前記メインろ過チャンバ２８と前記汚水排出溝２０との間には第七空きチャンバ２３が設置され、前記第七空きチャンバ２３の後端には第八空きチャンバ４９が連通し設置され、前記第八空きチャンバ４９と前記第七空きチャンバ２３との間には第五回転軸２２が回転できるように設置され、前記第七空きチャンバ２３の中にある前記第五回転軸２２には仕切り板２１が固定的に設置され、前記第七空きチャンバ２３の両端には第八スライド溝７２が対称的に連通し設置され、前記第八スライド溝７２の中には第二斜めブロック７５がスライドできるように設置され、前記第二斜めブロック７５と前記第八スライド溝７２の端壁との間には第六ばね７３が固定的に連結され、前記第二斜めブロック７５が前記仕切り板２１と接触し、前記第八空きチャンバ４９の中にある前記第五回転軸２２と前記第四回転軸３９との間が第二プーリ３８と第三プーリ４８により伝動できるように係合される。
【００２０】
下記に、図１−５と上記の汚水フィルタの具体的な構成を参考し汚水フィルタの使用方法を詳しく紹介する：まず、初期状態に、前記磁伝導金属８が前記第二永久磁石７と前記第一永久磁石９と接触し、前記ろ過網１９と前記スライドバー１８が前記メインろ過チャンバの中に位置し、前記第一スルーホール３０が前記第一連通溝２９と連通され、前記第二スルーホール１０が前記第二連通溝３４と連通されていない。
【００２１】
ろ過する必要があるとき、前記メインろ過装置がろ過を行い、汚水が前記第一連通溝２９を通じて前記メインろ過チャンバ２８に入り、前記ろ過網１９によりろ過された後汚水排出溝２０を通じて設備から排出される。
【００２２】
前記メインろ過装置で集積された汚水が多すぎると、モーター６４が起動し、前記サブろ過装置が前記メインろ過装置の汚水処理圧力を分担し始め、前記モーター６４が前記第一回転軸３３を駆動し回転させ、前記第一回転軸３３が前記第一歯車２５と前記第三歯車６７とを駆動し回転させ、前記第一歯車２５が前記ろ過網を前記サブろ過チャンバ１２の中までスライドさせ、前記スライドバー１８が前記押しブロック１５をプッシュし、前記押しブロック１５が第一鋼線１１により磁伝導金属８を駆動し下へスライドさせ磁伝導作用を中断し、前記第一永久磁石９の磁力が小さくなり、かつ、前記第二ばね２の作用のもとで前記第二スルーホール１０を前記第二連通溝と連通し、汚水がサブろ過チャンバに入りろ過され、前記第三歯車６７が第四歯車６８を伝動駆動し回転させ、前記第四歯車６８が第三ラック６３により前記第二スライドブロック４７を駆動し後ろへスライドさせ、前記第二スライドブロック４７が前記ヒンジ連結ロッド４６により前記第三スライドブロック４３を駆動し下へスライドさせ、前記第三スライドブロック４３が第二鋼線４０により前記第四ラック３６を駆動し下へスライドさせ、前記第三スライドブロック４３が下へスライドし続け第一斜めブロック５９により前記第三永久磁石４２に前記第二鋼線４０を押しつけさせ、前記第一ラック３６がロックされ、前記第四ラック３６が前記第五歯車６２を駆動し回転させ、前記第五歯車６２が第一ラック６２により第一スルーホール３０を前記第一連通溝２９と連通しないようになり、同時に第五歯車６２が前記第四回転軸３９を駆動し回転させ、前記第四回転軸３９が前記第二プーリ３８と前記第三プーリ４８とにより前記第五回転軸２２を駆動し回転させ、前記第五回転軸２２が回転し排出口切換装置に汚水排出溝を切換させる。
【００２３】
汚水ろ過圧力が大きくないとき、設備が起動し前記モーター３４が反転した後、設備が初期状態に戻り、前記スライドバー１８が初期状態に戻った後に前記電磁石６０を開き、前記電磁石６０が前記第三永久磁石４２を吸い、前記第一ラック３６のロックが解除され、そして前記第一スルーホール３０を再び前記第一連通溝と連通し、前記メインろ過装置が汚水を処理し続ける。
【００２４】
本発明の有益的な効果：本装置は構造が簡単で、操作が便利で、当該フィルタがろ過網の上側にある不純物を処理するとき、機械伝動により汚水を他の側のろ過チャンバに分流し、ろ過に影響を与えないと同時に不純物を処理し、ろ過処理の速度を高め、作業効率を高め、こそげ板によりろ過網にある不純物を処理することができ、その他の装置の作動で不純物を処理する必要がなく、不純物を処理の過程を大幅に簡単化し、効率を高める。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175360.tif 000003
【図２】
2020175360.tif 000004
【図３】
2020175360.tif 000005
【図４】
2020175360.tif 000006
【図５】
2020175360.tif 000007
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
フィルタを含み、前記フィルタの中にはメインろ過チャンバが設置され、前記メインろ過チャンバの中にはメインろ過装置が設置され、前記メインろ過チャンバの頂端には第一連通溝が連通され、前記第一連通溝の底端には第一スライド溝が連通され、前記メインろ過チャンバの両側にはサブろ過チャンバが設置され、前記サブろ過チャンバの中にはサブろ過装置が設置され、前記サブろ過チャンバと前記第一連通溝との間には第二連通溝が連通設置され、前記サブろ過チャンバの頂端には第二スライド溝が連通され、前記メインろ過チャンバと前記サブろ過チャンバとの間にはろ過網機構が設置され、前記ろ過網機構がろ過網を持つスライドバーを含み、前記メインろ過チャンバと前記サブろ過チャンバとの間には第一空きチャンバが設置され、前記第一空きチャンバの後端には第二空きチャンバが設置され、前記メインろ過チャンバの後端には第三空きチャンバが設置され、前記第三空きチャンバと前記第二空きチャンバとの間には第四空きチャンバが連通され、前記第三空きチャンバの頂端には第五空きチャンバが設置され、前記メインろ過チャンバの後端にはろ過切換装置が設置され、前記サブろ過チャンバと前記メインろ過チャンバの底端には汚水排出溝が連通され、前記メインろ過チャンバの底端にある前記汚水排出溝には排出口切換装置が設置され、
前記メインろ過装置は前記メインろ過チャンバを含み、前記第一スライド溝の中には第一スルーホールを持つ第一ラックがスライドできるように設置され、前記サブろ過チャンバにおいて前記メインろ過チャンバに近接している側の端壁と、前記メインろ過チャンバの左右端壁とにはいずれも汚れこそげ板が固定的に設置され、前記第一空きチャンバと前記第二空きチャンバとの間にはモーターと動力が伝達できるように連結される第一回転軸が回転できるように設置され、前記スライドバーには第二ラックが固定的に設置され、前記第一回転軸の前端には前記第二ラックと噛合する第一歯車が対称的に設置され、前記第二空きチャンバの中にある前記第一回転軸には第二歯車が設置され、前記メインろ過チャンバの左端にある前記第四空きチャンバの前端には第六空きチャンバが設置され、前記第六空きチャンバの中には第二回転軸が設置され、前記第二回転軸には前記第二歯車と噛合するワイドギアと第一プーリとが設置され、前記第一プーリと前記メインろ過チャンバの右端にある前記第二歯車とが伝動し連結され、
前記サブろ過装置が前記サブろ過チャンバを含み、前記サブろ過チャンバの端壁には第三スライド溝が連通設置され、前記第三スライド溝の中には押しブロックがスライドできるように設置され、前記押しブロックと前記第三スライド溝の端壁との間には第一ばねが固定的に連結され、前記第二スライド溝の中には第二スルーホールを持つ第一永久磁石がスライドできるように設置され、前記第一永久磁石と第二スライド溝の端壁との間には第二ばねが固定的に連結され、前記第二スライド溝には第四スライド溝が上下に貫通し設置され、前記第四スライド溝の中には第一スライドブロックがスライドできるように設置され、前記第一スライドブロックと前記第四スライド溝の端壁との間には第三ばねが固定的に連結され、前記第一スライドブロックの中には磁伝導金属が設置され、前記磁伝導金属の左端には前記第一永久磁石と吸いつける第二永久磁石が固定的に設置され、前記第一スライドブロックと前記押しブロックとの間には第一鋼線が連結され、
前記ろ過切換装置は前記第一回転軸を含み、前記第一回転軸には第三歯車が固定的に設置され、前記第四空きチャンバの中には第三回転軸が回転できるように設置され、前記第三回転軸には前記第三歯車と噛合する第四歯車が固定的に設置され、前記第三空きチャンバと前記第四空きチャンバとの間には第二スライドブロックがスライドできるように設置され、前記第二スライドブロックの左端には前記第四歯車と噛合する第三ラックが固定的に設置され、前記第三空きチャンバの中には第三スライドブロックがスライドできるように設置され、前記第三スライドブロックと前記第三空きチャンバの底壁にはいずれも凹溝が設置され、前記凹溝と前記第二スライドブロックとの間にはヒンジ連結ロッドが対称的にヒンジで連結され、前記第三空きチャンバと前記メインろ過チャンバとの間には前記第三空きチャンバを連通する第五スライド溝と第六スライド溝とが設置され、前記第五スライド溝が前記第六スライド溝と連通され、前記第五スライド溝と前記第六スライド溝との間には第四ばねと連結される第四スライドブロックがスライドできるように設置され、前記第六スライド溝の中にある第四スライドブロックには第一斜めブロックが固定的に設置され、前記第五スライド溝の中にある第四スライドブロックには第三永久磁石がスライドできるように設置され、前記第五スライド溝の端壁には第三永久磁石と係合される電磁石が固定的に設置され、前記第五空きチャンバの中には第四回転軸が回転できるように設置され、前記第四回転軸には第一ラックと噛合する第五歯車が固定的に設置され、前記第四回転軸の頂壁には第七スライド溝が連通し設置され、前記第七スライド溝の中には第四ラックがスライドできるように設置され、前記第四ラックと前記第七スライド溝の端壁との間には第五ばねが固定的に連結され、前記第四ラックが前記第五歯車と噛合し、前記第四ラックと前記第三スライドブロックとの間には第二鋼線が連結され、
前記排出口切換装置が前記メインろ過チャンバを含み、前記メインろ過チャンバと前記汚水排出溝との間には第七空きチャンバが設置され、前記第七空きチャンバの後端には第八空きチャンバが連通し設置され、前記第八空きチャンバと前記第七空きチャンバとの間には第五回転軸が回転できるように設置され、前記第七空きチャンバの中にある前記第五回転軸には仕切り板が固定的に設置され、前記第七空きチャンバの両端には第八スライド溝が対称的に連通し設置され、前記第八スライド溝の中には第二斜めブロックがスライドできるように設置され、前記第二斜めブロックと前記第八スライド溝の端壁との間には第六ばねが固定的に連結され、前記第二斜めブロックが前記仕切り板と接触し、前記第八空きチャンバの中にある前記第五回転軸と前記第四回転軸との間が第二プーリと第三プーリにより伝動できるように係合されることを特徴とする汚水フィルタ。
【手続補正２】
【補正対象書類名】明細書
【補正対象項目名】全文
【補正方法】変更
【補正の内容】
【発明の詳細な説明】
【技術分野】
【０００１】
本発明はろ過分野を取り上げて、具体的には汚水フィルタである。
【背景技術】
【０００２】
現在、フィルタは水の浄化に大きな影響を与え、日常生活で使用されるフィルタは増えているが、この段階では、フィルタはろ過されて残った不純物を処理するとき、該当フィルタが作動を停止することを表し、ろ過効率に大きな影響があり、また、不純物を処理する間には、フィルタを解体してから不純物を処理しなければいけなく、操作が複雑で、作業量を増加し、不純物の処理に良くない。
【先行技術文献】
【特許文献】
【０００３】
【特許文献１】中国特許出願公開第１０８６４０４０４号明細書
【発明の概要】
【発明が解決しようとする課題】
【０００４】
本発明の目的は汚水フィルタを提供し、それは上記の現在の技術中の問題を解決できる。
【課題を解決するための手段】
【０００５】
上記の課題を解決するため、本発明は以下の技術プランを採用する：汚水フィルタは、フィルタを含み、前記フィルタの中にはメインろ過チャンバが設置され、前記メインろ過チャンバの中にはメインろ過装置が設置され、前記メインろ過チャンバの頂端には第一連通溝が連通され、前記第一連通溝の底端には第一スライド溝が連通され、前記メインろ過チャンバの両側にはサブろ過チャンバが設置され、前記サブろ過チャンバの中にはサブろ過装置が設置され、前記サブろ過チャンバと前記第一連通溝との間には第二連通溝が連通設置され、前記サブろ過チャンバの頂端には第二スライド溝が連通され、前記メインろ過チャンバと前記サブろ過チャンバとの間にはろ過網機構が設置され、前記ろ過網機構がろ過網を持つスライドバーを含み、前記メインろ過チャンバと前記サブろ過チャンバとの間には第一空きチャンバが設置され、前記第一空きチャンバの後端には第二空きチャンバが設置され、前記メインろ過チャンバの後端には第三空きチャンバが設置され、前記第三空きチャンバと前記第二空きチャンバとの間には第四空きチャンバが連通され、前記第三空きチャンバの頂端には第五空きチャンバが設置され、前記メインろ過チャンバの後端にはろ過切換装置が設置され、前記サブろ過チャンバと前記メインろ過チャンバの底端には汚水排出溝が連通され、前記メインろ過チャンバの底端にある前記汚水排出溝には排出口切換装置が設置される。
【０００６】
優選的に、前記メインろ過装置は前記メインろ過チャンバを含み、前記第一スライド溝の中には第一スルーホールを持つ第一ラックがスライドできるように設置され、前記サブろ過チャンバにおいて前記メインろ過チャンバに近接している側の端壁と、前記メインろ過チャンバの左右端壁とにはいずれも汚れこそげ板が固定的に設置され、前記第一空きチャンバと前記第二空きチャンバとの間にはモーターと動力が伝達できるように連結される第一回転軸が回転できるように設置され、前記スライドバーには第二ラックが固定的に設置され、前記第一回転軸の前端には前記第二ラックと噛合する第一歯車が対称的に設置され、前記第二空きチャンバの中にある前記第一回転軸には第二歯車が設置され、前記メインろ過チャンバの左端にある前記第四空きチャンバの前端には第六空きチャンバが設置され、前記第六空きチャンバの中には第二回転軸が設置され、前記第二回転軸には前記第二歯車と噛合するワイドギアと第一プーリとが設置され、前記第一プーリと前記メインろ過チャンバの右端にある前記第二歯車とが伝動し連結される。
【０００７】
優選的に、前記サブろ過装置が前記サブろ過チャンバを含み、前記サブろ過チャンバの端壁には第三スライド溝が連通設置され、前記第三スライド溝の中には押しブロックがスライドできるように設置され、前記押しブロックと前記第三スライド溝の端壁との間には第一ばねが固定的に連結され、前記第二スライド溝の中には第二スルーホールを持つ第一永久磁石がスライドできるように設置され、前記第一永久磁石と第二スライド溝の端壁との間には第二ばねが固定的に連結され、前記第二スライド溝には第四スライド溝が上下に貫通し設置され、前記第四スライド溝の中には第一スライドブロックがスライドできるように設置され、前記第一スライドブロックと前記第四スライド溝の端壁との間には第三ばねが固定的に連結され、前記第一スライドブロックの中には磁伝導金属が設置され、前記磁伝導金属の左端には前記第一永久磁石と吸いつける第二永久磁石が固定的に設置され、前記第一スライドブロックと前記押しブロックとの間には第一鋼線が連結される。
【０００８】
優選的に、前記ろ過切換装置は前記第一回転軸を含み、前記第一回転軸には第三歯車が固定的に設置され、前記第四空きチャンバの中には第三回転軸が回転できるように設置され、前記第三回転軸には前記第三歯車と噛合する第四歯車が固定的に設置され、前記第三空きチャンバと前記第四空きチャンバとの間には第二スライドブロックがスライドできるように設置され、前記第二スライドブロックの左端には前記第四歯車と噛合する第三ラックが固定的に設置され、前記第三空きチャンバの中には第三スライドブロックがスライドできるように設置され、前記第三スライドブロックと前記第三空きチャンバの底壁にはいずれも凹溝が設置され、前記凹溝と前記第二スライドブロックとの間にはヒンジ連結ロッドが対称的にヒンジで連結され、前記第三空きチャンバと前記メインろ過チャンバとの間には前記第三空きチャンバを連通する第五スライド溝と第六スライド溝とが設置され、前記第五スライド溝が前記第六スライド溝と連通され、前記第五スライド溝と前記第六スライド溝との間には第四ばねと連結される第四スライドブロックがスライドできるように設置され、前記第六スライド溝の中にある第四スライドブロックには第一斜めブロックが固定的に設置され、前記第五スライド溝の中にある第四スライドブロックには第三永久磁石がスライドできるように設置され、前記第五スライド溝の端壁には第三永久磁石と係合される電磁石が固定的に設置され、前記第五空きチャンバの中には第四回転軸が回転できるように設置され、前記第四回転軸には第一ラックと噛合する第五歯車が固定的に設置され、前記第四回転軸の頂壁には第七スライド溝が連通し設置され、前記第七スライド溝の中には第四ラックがスライドできるように設置され、前記第四ラックと前記第七スライド溝の端壁との間には第五ばねが固定的に連結され、前記第四ラックが前記第五歯車と噛合し、前記第四ラックと前記第三スライドブロックとの間には第二鋼線が連結される。
【０００９】
優選的に、前記排出口切換装置が前記メインろ過チャンバを含み、前記メインろ過チャンバと前記汚水排出溝との間には第七空きチャンバが設置され、前記第七空きチャンバの後端には第八空きチャンバが連通し設置され、前記第八空きチャンバと前記第七空きチャンバとの間には第五回転軸が回転できるように設置され、前記第七空きチャンバの中にある前記第五回転軸には仕切り板が固定的に設置され、前記第七空きチャンバの両端には第八スライド溝が対称的に連通し設置され、前記第八スライド溝の中には第二斜めブロックがスライドできるように設置され、前記第二斜めブロックと前記第八スライド溝の端壁との間には第六ばねが固定的に連結され、前記第二斜めブロックが前記仕切り板と接触し、前記第八空きチャンバの中にある前記第五回転軸と前記第四回転軸との間が第二プーリと第三プーリにより伝動できるように係合される。
【発明の効果】
【００１０】
以上により、本発明の有益的な効果：本装置は構造が簡単で、操作が便利で、当該フィルタがろ過網の上側にある不純物を処理するとき、機械伝動により汚水を他の側のろ過チャンバに分流し、ろ過に影響を与えないと同時に不純物を処理し、ろ過処理の速度を高め、作業効率を高め、こそげ板によりろ過網にある不純物を処理することができ、その他の装置の作動で不純物を処理する必要がなく、不純物を処理の過程を大幅に簡単化し、効率を高める。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができ、下記に図１〜５をあわせて本発明について詳しく説明し、便利に説明するために、下記の方向を以下のように規定する：以下に述べる上下左右前後の方向と図１の自身投影関係の上下左右前後の方向とが一致である。
【００１２】
【図１】図１は本発明の汚水フィルタの全体全断面の正面構造図
【図２】図２は図１の中の左断面図
【図３】図３は本発明の汚水フィルタの第一空きチャンバと第二空きチャンバの全断面の左面拡大構造概略図
【図４】図４は本発明の汚水フィルタの第三空きチャンバの全断面の正面拡大構造概略図
【図５】図５は本発明の汚水フィルタの排出口切換装置の局部断面の正面拡大構造概略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１−５が示すように、本発明が提供する実施例：汚水フィルタは、フィルタ１を含み、前記フィルタ１の中にはメインろ過チャンバ２８が設置され、前記メインろ過チャンバ２８の中にはメインろ過装置が設置され、前記メインろ過チャンバ２８の頂端には第一連通溝２９が連通され、前記第一連通溝２９の底端には第一スライド溝２７が連通され、前記メインろ過チャンバ２８の両側にはサブろ過チャンバ１２が設置され、前記サブろ過チャンバ１２の中にはサブろ過装置が設置され、前記サブろ過チャンバ１２と前記第一連通溝２９との間には第二連通溝３４が連通設置され、前記サブろ過チャンバ１２の頂端には第二スライド溝６が連通され、前記メインろ過チャンバ２８と前記サブろ過チャンバ１２との間にはろ過網機構が設置され、前記ろ過網機構がろ過網１９を持つスライドバー１８を含み、前記メインろ過チャンバ２８と前記サブろ過チャンバ１２との間には第一空きチャンバ３１が設置され、前記第一空きチャンバ３１の後端には第二空きチャンバ６５が設置され、前記メインろ過チャンバ２８の後端には第三空きチャンバ４１が設置され、前記第三空きチャンバ４１と前記第二空きチャンバ６５との間には第四空きチャンバ６６が連通され、前記第三空きチャンバ４１の頂端には第五空きチャンバ３７が設置され、前記メインろ過チャンバ２８の後端にはろ過切換装置が設置され、前記サブろ過チャンバ１２と前記メインろ過チャンバ２８の底端には汚水排出溝２０が連通され、前記メインろ過チャンバ２８の底端にある前記汚水排出溝２０には排出口切換装置が設置される。
【００１６】
有益的には、前記メインろ過装置は前記メインろ過チャンバ２８を含み、前記第一スライド溝２７の中には第一スルーホール３０を持つ第一ラック３２がスライドできるように設置され、前記サブろ過チャンバ１２において前記メインろ過チャンバ２８に近接している側の端壁と、前記メインろ過チャンバ２８の左右端壁とにはいずれも汚れこそげ板１６が固定的に設置され、前記第一空きチャンバ３１と前記第二空きチャンバ６５との間にはモーター６４と動力が伝達できるように連結される第一回転軸３３が回転できるように設置され、前記スライドバー１８には第二ラック９１が固定的に設置され、前記第一回転軸３３の前端には前記第二ラック９１と噛合する第一歯車２５が対称的に設置され、前記第二空きチャンバ６５の中にある前記第一回転軸３３には第二歯車６９が設置され、前記メインろ過チャンバ２８の左端にある前記第四空きチャンバ６６の前端には第六空きチャンバ７８が設置され、前記第六空きチャンバ７８の中には第二回転軸９０が設置され、前記第二回転軸９０には前記第二歯車６９と噛合するワイドギア８０と第一プーリ７７とが設置され、前記第一プーリ７７と前記メインろ過チャンバ２８の右端にある前記第二歯車６９とが伝動し連結される。
【００１７】
有益的には、前記サブろ過装置が前記サブろ過チャンバ１２を含み、前記サブろ過チャンバ１２の端壁には第三スライド溝１４が連通設置され、前記第三スライド溝１４の中には押しブロック１５がスライドできるように設置され、前記押しブロック１５と前記第三スライド溝１４の端壁との間には第一ばね１３が固定的に連結され、前記第二スライド溝６の中には第二スルーホール１０を持つ第一永久磁石９がスライドできるように設置され、前記第一永久磁石９と第二スライド溝６の端壁との間には第二ばね２が固定的に連結され、前記第二スライド溝６には第四スライド溝４が上下に貫通し設置され、前記第四スライド溝４の中には第一スライドブロック５がスライドできるように設置され、前記第一スライドブロック５と前記第四スライド溝４の端壁との間には第三ばね３が固定的に連結され、前記第一スライドブロック５の中には磁伝導金属８が設置され、前記磁伝導金属８の左端には前記第一永久磁石９と吸いつける第二永久磁石７が固定的に設置され、前記第一スライドブロック５と前記押しブロック１５との間には第一鋼線１１が連結される。
【００１８】
有益的には、前記ろ過切換装置は前記第一回転軸３３を含み、前記第一回転軸３３には第三歯車６７が固定的に設置され、前記第四空きチャンバ６６の中には第三回転軸７０が回転できるように設置され、前記第三回転軸７０には前記第三歯車６７と噛合する第四歯車６８が固定的に設置され、前記第三空きチャンバ４１と前記第四空きチャンバ６６との間には第二スライドブロック４７がスライドできるように設置され、前記第二スライドブロック４７の左端には前記第四歯車６８と噛合する第三ラック６３が固定的に設置され、前記第三空きチャンバ４１の中には第三スライドブロック４３がスライドできるように設置され、前記第三スライドブロック４３と前記第三空きチャンバ４１の底壁にはいずれも凹溝５０が設置され、前記凹溝５０と前記第二スライドブロック４７との間にはヒンジ連結ロッド４６が対称的にヒンジで連結され、前記第三空きチャンバ４１と前記メインろ過チャンバ２８との間には前記第三空きチャンバ４１を連通する第五スライド溝８１と第六スライド溝５６とが設置され、前記第五スライド溝８１が前記第六スライド溝５６と連通され、前記第五スライド溝８１と前記第六スライド溝５６との間には第四ばね５７と連結される第四スライドブロック５８がスライドできるように設置され、前記第六スライド溝５６の中にある第四スライドブロック５８には第一斜めブロック５９が固定的に設置され、前記第五スライド溝８１の中にある第四スライドブロック５８には第三永久磁石４２がスライドできるように設置され、前記第五スライド溝８１の端壁には第三永久磁石４２と係合される電磁石６０が固定的に設置され、前記第五空きチャンバ３７の中には第四回転軸３９が回転できるように設置され、前記第四回転軸３９には第一ラック３２と噛合する第五歯車６２が固定的に設置され、前記第四回転軸３９の頂壁には第七スライド溝８２が連通し設置され、前記第七スライド溝８２の中には第四ラック３６がスライドできるように設置され、前記第四ラック３６と前記第七スライド溝８２の端壁との間には第五ばね６１が固定的に連結され、前記第四ラック３６が前記第五歯車６２と噛合し、前記第四ラック３６と前記第三スライドブロック４３との間には第二鋼線４０が連結される。
【００１９】
有益的には、前記排出口切換装置が前記メインろ過チャンバ２８を含み、前記メインろ過チャンバ２８と前記汚水排出溝２０との間には第七空きチャンバ２３が設置され、前記第七空きチャンバ２３の後端には第八空きチャンバ４９が連通し設置され、前記第八空きチャンバ４９と前記第七空きチャンバ２３との間には第五回転軸２２が回転できるように設置され、前記第七空きチャンバ２３の中にある前記第五回転軸２２には仕切り板２１が固定的に設置され、前記第七空きチャンバ２３の両端には第八スライド溝７２が対称的に連通し設置され、前記第八スライド溝７２の中には第二斜めブロック７５がスライドできるように設置され、前記第二斜めブロック７５と前記第八スライド溝７２の端壁との間には第六ばね７３が固定的に連結され、前記第二斜めブロック７５が前記仕切り板２１と接触し、前記第八空きチャンバ４９の中にある前記第五回転軸２２と前記第四回転軸３９との間が第二プーリ３８と第三プーリ４８により伝動できるように係合される。
【００２０】
下記に、図１−５と上記の汚水フィルタの具体的な構成を参考し汚水フィルタの使用方法を詳しく紹介する：まず、初期状態に、前記磁伝導金属８が前記第二永久磁石７と前記第一永久磁石９と接触し、前記ろ過網１９と前記スライドバー１８が前記メインろ過チャンバの中に位置し、前記第一スルーホール３０が前記第一連通溝２９と連通され、前記第二スルーホール１０が前記第二連通溝３４と連通されていない。
【００２１】
ろ過する必要があるとき、前記メインろ過装置がろ過を行い、汚水が前記第一連通溝２９を通じて前記メインろ過チャンバ２８に入り、前記ろ過網１９によりろ過された後汚水排出溝２０を通じて設備から排出される。
【００２２】
前記メインろ過装置で集積された汚水が多すぎると、モーター６４が起動し、前記サブろ過装置が前記メインろ過装置の汚水処理圧力を分担し始め、前記モーター６４が前記第一回転軸３３を駆動し回転させ、前記第一回転軸３３が前記第一歯車２５と前記第三歯車６７とを駆動し回転させ、前記第一歯車２５が前記ろ過網を前記サブろ過チャンバ１２の中までスライドさせ、前記スライドバー１８が前記押しブロック１５をプッシュし、前記押しブロック１５が第一鋼線１１により磁伝導金属８を駆動し下へスライドさせ磁伝導作用を中断し、前記第一永久磁石９の磁力が小さくなり、かつ、前記第二ばね２の作用のもとで前記第二スルーホール１０を前記第二連通溝と連通し、汚水がサブろ過チャンバに入りろ過され、前記第三歯車６７が第四歯車６８を伝動駆動し回転させ、前記第四歯車６８が第三ラック６３により前記第二スライドブロック４７を駆動し後ろへスライドさせ、前記第二スライドブロック４７が前記ヒンジ連結ロッド４６により前記第三スライドブロック４３を駆動し下へスライドさせ、前記第三スライドブロック４３が第二鋼線４０により前記第四ラック３６を駆動し下へスライドさせ、前記第三スライドブロック４３が下へスライドし続け第一斜めブロック５９により前記第三永久磁石４２に前記第二鋼線４０を押しつけさせ、前記第四ラック３６がロックされ、前記第四ラック３６が前記第五歯車６２を駆動し回転させ、前記第五歯車６２が第一ラック３２により第一スルーホール３０を前記第一連通溝２９と連通しないようになり、同時に第五歯車６２が前記第四回転軸３９を駆動し回転させ、前記第四回転軸３９が前記第二プーリ３８と前記第三プーリ４８とにより前記第五回転軸２２を駆動し回転させ、前記第五回転軸２２が回転し排出口切換装置に汚水排出溝を切換させる。
【００２３】
汚水ろ過圧力が大きくないとき、設備が起動し前記モーター６４が反転した後、設備が初期状態に戻り、前記スライドバー１８が初期状態に戻った後に前記電磁石６０を開き、前記電磁石６０が前記第三永久磁石４２を吸い、前記第四ラック３６のロックが解除され、そして前記第一スルーホール３０を再び前記第一連通溝と連通し、前記メインろ過装置が汚水を処理し続ける。
【００２４】
本発明の有益的な効果：本装置は構造が簡単で、操作が便利で、当該フィルタがろ過網の上側にある不純物を処理するとき、機械伝動により汚水を他の側のろ過チャンバに分流し、ろ過に影響を与えないと同時に不純物を処理し、ろ過処理の速度を高め、作業効率を高め、こそげ板によりろ過網にある不純物を処理することができ、その他の装置の作動で不純物を処理する必要がなく、不純物を処理の過程を大幅に簡単化し、効率を高める。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。